(57)【要約】【課題】冶具ボードの作製が不要となり、メンテナンス管理を軽減することができるとともに、メンテナンスのためのコストも低減すること。【解決手段】制御基板は、他の制御基板と接続可能な接続部と、所定のデータを記憶する第１記憶部と、第１記憶部からのデータの読み出しが可能であって、接続部により接続された他の制御基板の第２記憶部からのデータの読み出しが不能な第１状態と、第１記憶部からのデータの読み出しが不能であって、接続部により接続された他の制御基板の第２記憶部からのデータの読み出しが可能な第２状態とを切り替える切替え部と、第１状態である場合に、第１記憶部に対するデータの書き込みまたは読み出しを行い、第２状態である場合に、他の制御基板の第２記憶部からデータを読み出して第１記憶部に保存するコピー処理を行う記憶制御部と、を備えた。【選択図】図１
2013225277.tif 000002
【特許請求の範囲】
【請求項１】
制御基板であって、
他の制御基板と接続可能な接続部と、
所定のデータを記憶する第１記憶部と、
前記第１記憶部からのデータの読み出しが可能であって、前記接続部により接続された前記他の制御基板の第２記憶部からのデータの読み出しが不能な第１状態と、前記第１記憶部からのデータの読み出しが不能であって、前記接続部により接続された前記他の制御基板の前記第２記憶部からのデータの読み出しが可能な第２状態とを切り替える切替え部と、
前記第１状態である場合に、前記第１記憶部に対するデータの書き込みまたは読み出しを行い、前記第２状態である場合に、前記他の制御基板の第２記憶部からデータを読み出して前記第１記憶部に保存するコピー処理を行う記憶制御部と、
を備えたことを特徴とする制御基板。
【請求項２】
前記切替え部は、
前記第１記憶部からのデータの読み出しが可能な前記第１状態と、記第１記憶部からの
データの読み出しが不能な前記第２状態とを切り替える第１切り替え部と、
前記他の制御基板の前記第２記憶部からのデータの読み出しが不能な前記第１状態と、
前記他の制御基板の前記第２記憶部からのデータの読み出しが可能な前記第２状態とを切り替える第２切替え部と、
を備えたことを特徴とする請求項１に記載の制御基板。
【請求項３】
前記第２状態に切り替えられた場合に、前記他の制御基板の前記第２記憶部に記憶された予め定められた検証用データを読み出して、読み出した検証データが正当か否かを検証する検証部、をさらに備え、
前記記憶制御部は、前記読み出した検証データが正当である場合に、前記コピー処理を行うこと、
を特徴とする請求項１または２に記載の制御基板。
【請求項４】
前記検証部による前記検証データの検証結果を、外部の出力装置に報知する報知部、
をさらに備えたことを特徴とする請求項３に記載の制御基板。
【請求項５】
前記報知部は、前記検証結果を、予め設定された音量で音声出力すること、
を特徴とする請求項４に記載の制御基板。
【請求項６】
前記報知部は、さらに、前記音量の設定がミュートに設定されている場合には、前記検証結果を、デフォルト音量で音声出力すること、
を特徴とする請求項５に記載の制御基板。
【請求項７】
第１制御基板と、第２制御基板とを備えた制御システムであって、
前記第１制御基板は、
前記第２制御基板と接続可能な第１接続部と、
所定のデータを記憶する第１記憶部と、
前記第１記憶部からのデータの読み出しが可能であって、前記接続部により接続された前記第２制御基板の第２記憶部からのデータの読み出しが不能な第１状態と、前記第１記憶部からのデータの読み出しが不能であって、前記接続部により接続された前記第２制御基板の前記第２記憶部からのデータの読み出しが可能な第２状態とを切り替える切替え部と、
前記第１状態である場合に、前記第１記憶部に対するデータの書き込みまたは読み出しを行い、前記第２状態である場合に、前記第２制御基板の前記第２記憶部からデータを読み出して前記第１記憶部に保存するコピー処理を行う記憶制御部と、を備え、
前記第２制御基板は、
前記第２記憶部と、
を備えたことを特徴とする制御システム。
【請求項８】
制御基板で実行させるコピー方法であって、
前記制御基板は、他の制御基板と接続可能な接続部と、所定のデータを記憶する第１記憶部と、を備え、
前記第１記憶部からのデータの読み出しが可能であって、前記接続部により接続された前記他の制御基板の第２記憶部からのデータの読み出しが不能な第１状態と、前記第１記憶部からのデータの読み出しが不能であって、前記接続部により接続された前記他の制御基板の前記第２記憶部からのデータの読み出しが可能な第２状態とを切り替える切替えステップと、
前記第１状態である場合に、前記第１記憶部に対するデータの書き込みまたは読み出しを行い、前記第２状態である場合に、前記他の制御基板の第２記憶部からデータを読み出して前記第１記憶部に保存するコピー処理を行う記憶制御ステップと、
を含むことを特徴とするコピー処理方法。
【発明の詳細な説明】
【技術分野】
【０００１】
本発明は、制御基板、制御システムおよびコピー処理方法に関する。
【背景技術】
【０００２】
従来から、複写機や複合機などの画像形成装置では、ユーザ設定情報などは、制御基板（「ボード」ともいう。）に実装された不揮発メモリに保存している。この不揮発メモリが実装された制御基板が故障した場合、新しい制御基板に、ユーザ設定情報を再度設定する必要がある。
【０００３】
このために、メモリ吸出しのための不揮発メモリを実装した制御基板である冶具ボードを作製し、故障した制御基板の不揮発メモリのデータを冶具ボードの不揮発メモリにバックアップし、交換用の新たな制御基板に実装されている不揮発メモリにデータを書き込むことで、メモリのデータをバックアップする技術が知られている（例えば、特許文献１参照）。
【発明の概要】
【発明が解決しようとする課題】
【０００４】
しかしながら、このような従来のバックアップ技術では、冶具ボードを製作する必要があり、また、制御基板の故障は、世界中の至る場所で生じる可能性があるため、世界中のサービスマンに冶具ボードを配布しなければならず、メンテナンス管理の作業が膨大になるとともに、メンテナンスのコストも増大するという問題がある。
【０００５】
本発明は、上記に鑑みてなされたものであって、冶具ボードの作製が不要となり、メンテナンス管理を軽減することができるとともに、メンテナンスのためのコストも低減することができる制御基板、制御システムおよびコピー処理方法を提供することを目的とする。
【課題を解決するための手段】
【０００６】
上述した課題を解決し、目的を達成するために、本発明にかかる制御基板は、他の制御基板と接続可能な接続部と、所定のデータを記憶する第１記憶部と、前記第１記憶部からのデータの読み出しが可能であって、前記接続部により接続された前記他の制御基板の第２記憶部からのデータの読み出しが不能な第１状態と、前記第１記憶部からのデータの読み出しが不能であって、前記接続部により接続された前記他の制御基板の前記第２記憶部からのデータの読み出しが可能な第２状態とを切り替える切替え部と、前記第１状態である場合に、前記第１記憶部に対するデータの書き込みまたは読み出しを行い、前記第２状態である場合に、前記他の制御基板の第２記憶部からデータを読み出して前記第１記憶部に保存するコピー処理を行う記憶制御部と、を備えたことを特徴とする。
【０００７】
また、本発明にかかる制御システムは、第１制御基板と、第２制御基板とを備えた制御システムであって、前記第１制御基板は、前記第２制御基板と接続可能な第１接続部と、所定のデータを記憶する第１記憶部と、前記第１記憶部からのデータの読み出しが可能であって、前記接続部により接続された前記第２制御基板の第２記憶部からのデータの読み出しが不能な第１状態と、前記第１記憶部からのデータの読み出しが不能であって、前記接続部により接続された前記第２制御基板の前記第２記憶部からのデータの読み出しが可能な第２状態とを切り替える切替え部と、前記第１状態である場合に、前記第１記憶部に対するデータの書き込みまたは読み出しを行い、前記第２状態である場合に、前記第２制御基板の前記第２記憶部からデータを読み出して前記第１記憶部に保存するコピー処理を行う記憶制御部と、を備え、前記第２制御基板は、前記第２記憶部と、を備えたことを特徴とする。
【０００８】
また、本発明にかかるコピー処理方法は、制御基板で実行させるコピー方法であって、前記制御基板は、他の制御基板と接続可能な接続部と、所定のデータを記憶する第１記憶部と、を備え、前記第１記憶部からのデータの読み出しが可能であって、前記接続部により接続された前記他の制御基板の第２記憶部からのデータの読み出しが不能な第１状態と、前記第１記憶部からのデータの読み出しが不能であって、前記接続部により接続された前記他の制御基板の前記第２記憶部からのデータの読み出しが可能な第２状態とを切り替える切替えステップと、前記第１状態である場合に、前記第１記憶部に対するデータの書き込みまたは読み出しを行い、前記第２状態である場合に、前記他の制御基板の第２記憶部からデータを読み出して前記第１記憶部に保存するコピー処理を行う記憶制御ステップと、を含むことを特徴とする。
【発明の効果】
【０００９】
本発明によれば、冶具ボードの作製が不要となり、メンテナンス管理を軽減することができるとともに、メンテナンスのためのコストも低減することができるという効果を奏する。
【図面の簡単な説明】
【００１０】
【図１】図１は、実施の形態１の制御システムの概略構成図である。
【図２】図２は、故障ボードと交換ボードの回路構成図である。
【図３】図３は、実施の形態１の故障ボードにおける切替え処理の手順を示すフローチャートである。
【図４】図４は、実施の形態１の交換ボードにおけるコピー処理の手順を示すフローチャートである。
【図５】図５は、変形例１の故障ボードと交換ボードの回路構成図である。
【図６】図６は、変形例２の故障ボードと交換ボードの回路構成図である。
【図７】図７は、実施の形態２の制御システムの構成図である。
【図８】図８は、実施の形態２の交換ボードにおけるコピー処理の手順を示すフローチャートである。
【図９】図９は、実施の形態２の変形例１の交換ボードによるコピー処理の手順を示すフローチャートである。
【図１０】図１０は、実施の形態２の変形例２の交換ボードによるコピー処理の手順を示すフローチャートである。
【図１１】図１１は、従来の制御システムの構成図である。
【図１２】図１２は、従来の制御システムの構成図である。
【図１３】図１３は、他の従来の制御システムの構成図である。
【図１４】図１４は、他の従来の制御システムの構成図である。
【発明を実施するための形態】
【００１１】
以下に添付図面を参照して、この発明にかかる制御基板、制御システムおよびコピー処理方法の実施の形態を詳細に説明する。
【００１２】
（実施の形態１）
本実施の形態における制御基板は、ファクシミリ装置やファクシミリ機能を備えた複合機に搭載されるＦＡＸ制御ボードである。ただし、制御基板としては、ＦＡＸ制御ボードに限定されるものではない。
【００１３】
図１は、実施の形態１の制御システムの概略構成を示す図である。図２は、制御システムを構成する故障ボード１００ｂと交換ボード１００ａの詳細な回路構成図である。本実施の形態の制御システムは、故障した制御基板である故障ボード１００ｂと、故障ボード１００ｂに代えて交換するための制御基板である交換ボード１００ａが接続された構成となっている。
【００１４】
ここで、従来技術の問題点について詳細に説明する。ＦＡＸ制御ボードはその環境から雷ノイズなどを直接受けることがあるため、電話回線に近いデバイスやトランジスタなどはよく壊れることがある。また、ＦＡＸ制御ボードには不揮発メモリが実装されており、その不揮発メモリには顧客が設定した機器情報や電話帳などのデータが記憶されている。
【００１５】
このため、ＦＡＸ制御ボードを交換すると、顧客の設定データが記憶されている不揮発メモリも交換されているため、機器設定を再度行わなければならず、交換作業が増大する。
【００１６】
ＦＡＸ制御ボードは、雷ノイズで破壊された場合、電話回線に近いデバイスは壊れるが、メモリコントローラや不揮発メモリなどのシステム側まで破壊されることは稀である。この対応策として、図１１、図１２に示すような従来技術が知られている。この従来技術では、故障したＦＡＸ制御ボードである故障ボード１３００に実装されている不揮発メモリ１３０５と同等かもしくは容量の大きい不揮発メモリ１２０５が実装された冶具ボード１２００を用意する。
【００１７】
そして、冶具ボード１２００を、故障したＦＡＸ制御ボード（故障ボード）１３００に接続し、冶具ボード１２００への電力通電は故障したＦＡＸ制御ボードである故障ボード１３００から供給する。両者が接続された後、冶具ボード１２００に実装されているスイッチＳＷ２１を切り替えて、故障ボード１３００のメモリコントローラ１３０１に通知し、通知を受けたメモリコントローラ１３０１は故障ボード１３００に実装されている不揮発メモリ１３０５のデータをリードし、冶具ボード１２００に実装されている不揮発メモリ１２０５にライトする。これにより、故障ボード１３００の不揮発メモリ１３０５のデータが冶具ボード１２００にコピーされる。
【００１８】
次に、図１２に示すように、故障ボード１３００の不揮発メモリ１３０５のデータをコピーした冶具ボード１２００を、交換後のＦＡＸ制御ボードである交換ボード１４００に接続する。この場合も冶具ボード１２００の電源は交換ボード１４００から供給する。
【００１９】
そして、冶具ボード１２００でスイッチＳＷ２２を切り替えて、交換ボード１４００のメモリコントローラ１４０１に通知し、通知を受けたメモリコントローラ１４０１は冶具ボード１２００の不揮発メモリ１２０５のデータをリードし、交換ボード１４００の不揮発メモリ１４０５へライトする。その後、冶具ボード１２００を交換ボード１４００から外す。これにより、交換ボード１４００の不揮発メモリ１４０５には故障ボード１３００の不揮発メモリ１３０５の顧客の設定情報等を含むデータがコピーされるので、再設定する手間を省略することができる。
【００２０】
しかしながら、このような従来技術では、ＦＡＸ制御ボードに接続可能な専用の冶具ボード１２００が必要となり、また、ＦＡＸ制御ボードの故障は、世界中の至る場所で生じる可能性があるため、世界中のサービスマンに冶具ボードを配布しなければならず、メンテナンス管理が作業が膨大になるとともに、メンテナンスのコストも増大する。
【００２１】
このため、本実施の形態では、ＦＡＸ制御ボードが故障した場合、そのＦＡＸ制御ボード、すなわち故障ボード１００ｂを、故障ボード１００ｂと同一構成のＦＡＸ制御ボードである交換ボード１００ａに接続して、交換ボード１００ａに故障ボード１００ｂの不揮発メモリ１０５ｂに記憶された各種データをバックアップして、今後は故障ボード１００ｂに代えて、交換ボード１００ａを用いるものである。
【００２２】
図１に示すように、故障ボード１００ｂの接続部としてのコネクタ１１０ｂと交換ボード１００ａの接続部としてのコネクタ１１０ａとがケーブルで接続される。ここで、ケーブルはクロスケーブルを用いる。
【００２３】
故障したＦＡＸ制御ボード、すなわち故障ボード１００ｂは、図１に示すように、メモリコントローラ１０１ｂと、バッファ１０２ｂと、スイッチＳＷ１と、不揮発メモリ１０５ｂとを備える。また、故障ボードは、スイッチＳＷ２も備えている。
【００２４】
故障ボード１００ｂと交換するためのＦＡＸ制御ボードである交換ボード１００ａも、故障ボードと同一の構成をしており、メモリコントローラ１０１ａと、スイッチＳＷ１と、スイッチＳＷ２と、バッファ１０２ａと、不揮発メモリ１０５ａとを備えている。
【００２５】
まず、故障ボード１００ｂについて説明する。不揮発メモリ１０５ｂは、設定情報等の種々のデータを記憶する。
【００２６】
スイッチＳＷ１は、メモリコントローラ１０１ｂによる不揮発メモリ１０５ｂからのデータのリードが可能な第１状態と、メモリコントローラ１０１ｂによる不揮発メモリ１０５ｂからのデータのリードが不能な第２状態とを切り替えるスイッチである。
【００２７】
バッファ１０２ｂは、スイッチＳＷ１の制御によりメモリコントローラ１０１ｂと不揮発メモリ１０５ｂとのバスを接続したり、切断したりする３−ｓｔａｔｅバッファを想定している。
【００２８】
スイッチＳＷ２は、接続された他のＦＡＸ制御ボード（交換ボード１００ａ等）の不揮発メモリからのデータのリードが不能な第１状態と、接続された他のＦＡＸ制御ボードの不揮発メモリからのデータのリードが可能な第２状態とを切り替えるスイッチである。
【００２９】
メモリコントローラ１０１ｂは、不揮発メモリ１０５ｂに対するデータのリード／ライトを制御する。本実施の形態では、メモリコントローラ１０１ｂは、第１状態である場合に、不揮発メモリ１０５ｂに対するデータのライトまたはリードを行い、第２状態である場合に、接続された他のＦＡＸ制御ボードの不揮発メモリからデータをリードして不揮発メモリ１０５ｂにコピーする。
【００３０】
故障ボード１００ｂと交換ボード１００ａとを接続して、交換ボード１００ａから故障ボード１００ｂのデータをリードしようとすると、故障ボード１００ｂと交換ボード１００ａとは同じローカルバス上に存在することになる。このため、故障ボード１００ｂ、交換ボード１００ａともに通電したと同時に、両ボードのメモリコントローラ１０１ａ，１０１ｂがアクセスを開始してしまうため、データが衝突してしまう。このため、本実施の形態では、スイッチＳＷ１とバッファ１０２ｂを設けて、データの衝突を回避している。
【００３１】
具体的には、故障ボード１００ｂのスイッチＳＷ１がオンになると、バッファ制御信号がＬｏｗとなり、ローカルバス上にあるバッファ１０２ｂが制御されて、故障ボード１００ｂ側のメモリコントローラ１０１ｂとローカルバスが切断されて第２状態となる。これにより、両ボードのメモリコントローラ１０１ａ，１０１ｂのデータが衝突することを回避している。
【００３２】
次に、交換ボード１００ａについて説明する。上述した故障ボード１００ｂの構成と同様であるが、接続した故障ボード１００ｂとの関係で説明する。
【００３３】
不揮発メモリ１０５ａは、設定情報等の種々のデータを記憶する。スイッチＳＷ１は、メモリコントローラ１０１ａによる不揮発メモリ１０５ａからのデータのリードが可能な第１状態と、メモリコントローラ１０１ａによる不揮発メモリ１０５ａからのデータのリードが不能な第２状態とを切り替えるスイッチである。
【００３４】
バッファ１０２ａは、ＳＷ１の制御によりメモリコントローラ１０１ａと不揮発メモリ１０５ａとのバスを接続したり、切断したりする３−ｓｔａｔｅバッファを想定している。スイッチＳＷ１は、メモリコントローラ１０１ａによる不揮発メモリ１０５ａからのデータのリードが可能な第１状態と、メモリコントローラ１０１ａによる不揮発メモリ１０５ａからのデータのリードが不能な第２状態とを切り替えるスイッチである。
【００３５】
スイッチＳＷ２は、接続された他のＦＡＸ制御ボードとして故障ボード１００ｂの不揮発メモリ１０５ｂからのデータのリードが不能な第１状態と、当該故障ボード１００ｂの不揮発メモリ１０５ｂからのデータのリードが可能な第２状態とを切り替えるスイッチである。
【００３６】
メモリコントローラ１０１ａは、不揮発メモリ１０５ａに対するデータのリード／ライトを制御する。本実施の形態では、メモリコントローラ１０１ａは、第１状態である場合に、不揮発メモリ１０５ａに対するデータのライトまたはリードを行い、第２状態である場合に、接続された故障ボード１００ｂの不揮発メモリ１０５ｂからデータをリードして不揮発メモリ１０５ａにコピーする。
【００３７】
交換ボード１００ａのスイッチＳＷ２がオンにされると、スイッチＳＷ２はグラウンド（ＧＮＤ）に直結されるため、レベルはＬｏｗとなり、この結果、リストア制御信号がＬｏｗとなる。そして、メモリコントローラ１０１ａにより、接続先の故障ボード１００ｂの不揮発メモリ１０５ｂからのデータのリードが可能な第２状態となる。
【００３８】
一方、スイッチＳＷ２がオフにされると、スイッチＳＷ２自体はＨｉ−ｚであるが、プルアップされているためＨｉｇｈになり、この結果、リストア制御信号はＨｉｇｈになる。そして、メモリコントローラ１０１ａによる、接続先の故障ボード１００ｂの不揮発メモリ１０５ｂからのデータのリードが不可能な第１状態となる。
【００３９】
次に、以上のように構成された制御システムによるコピー処理について説明する。故障ボード１００ｂの不揮発メモリ１０５ｂのデータを、交換ボード１００ａにコピーする場合には、ユーザは、まず交換ボード１００ａのスイッチＳＷ２をオンにし、次いで、故障ボード１００ｂのスイッチＳＷ１をオンにする。これにより、交換ボード１００ａのメモリコントローラ１０１ａは、故障ボード１００ｂの不揮発メモリ１０５ｂをリードし、リードしたデータを交換ボード１００ａの不揮発メモリ１０５ａをライトしようとする。
【００４０】
まず、故障ボード１００ｂにおけるスイッチＳＷ１の操作により実行される切替え処理について説明する。図３は、実施の形態１の故障ボード１００ｂにおける切替え処理の手順を示すフローチャートである。
【００４１】
スイッチＳＷ１がオンにされるとバッファ制御信号はＬｏｗとなり、スイッチＳＷ１がオフにされるとバッファ制御信号はＨｉｇｈとなる。故障ボード１００ｂにおいて、スイッチＳＷ１がオフにされて、バッファ制御信号がＨｉｇｈとなった場合には（ステップＳ１１：Ｈｉｇｈ）、バッファ１０２ｂはローカルバスへ接続され（ステップＳ１３）、第１状態となり、メモリコントローラ１０１ｂにより不揮発メモリ１０５ｂからのデータのリードが可能となる。
【００４２】
一方、ステップＳ１１で、スイッチＳＷ１がオンとされて、バッファ制御信号がＬｏｗとなった場合には（ステップＳ１１：Ｌｏｗ）、バッファ１０２ｂはローカルバスから遮断され（ステップＳ１２）、第２状態となり、メモリコントローラ１０１ｂにより不揮発メモリ１０５ｂからのデータのリードが不可能となる。
【００４３】
次に、交換ボード１００ａにおけるスイッチＳＷ２の操作により実行されるコピー処理について説明する。図４は、実施の形態１の交換ボード１００ａにおけるコピー処理の手順を示すフローチャートである。
【００４４】
スイッチＳＷ２がオンにされるとリストア制御信号はＬｏｗとなり、スイッチＳＷ２がオフにされるとリストア制御信号はＨｉｇｈとなる。交換ボード１００ａにおいて、スイッチＳＷ２がオフにされて、リストア制御信号がＨｉｇｈになった場合には（ステップＳ２１：Ｈｉｇｈ）、何もせずに処理を終了する。
【００４５】
一方、ステップＳ２１で、スイッチＳＷ２がオンとされて、リストア制御信号がＬｏｗになった場合には（ステップＳ２１：Ｌｏｗ）、第２状態となり、メモリコントローラ１０１ａは、接続されている故障ボード１００ｂの不揮発メモリ１０５ｂから、記憶されているデータをリードする（ステップＳ２２）。
【００４６】
次に、メモリコントローラ１０１ａは、故障ボード１００ｂの不揮発メモリ１０５ｂからリードしたデータを、自ボードである交換ボード１００ａの不揮発メモリ１０５ａにライトする（ステップＳ２３）。これにより、故障ボード１００ｂの不揮発メモリ１０５ｂに記憶されたデータが交換ボード１００ａの不揮発メモリ１０５ａにコピーされることになる。
【００４７】
上記の図３，４を用いて説明したコピー処理を、図２の回路図を参照しながら、以下説明する。ＩＣ１、ＩＣ２はバッファ制御信号がＨｉｇｈのとき、出力信号は入力信号となり、バッファ制御信号がＬｏｗのとき、出力信号はＨｉｇｈ−Ｚになる。また、ＩＣ３はその逆でバッファ制御信号がＬｏｗのとき、出力信号は入力信号となり、バッファ制御信号がＨｉｇｈのとき、出力信号はＨｉｇｈ−Ｚになる。また、交換ボード１００ａのＳＷ１をオフ、ＳＷ２をオンし、故障ボード１００ｂのＳＷ１をオン、ＳＷ２をオフにする。
【００４８】
まず、交換ボード１００ａのＣＳ２＿ｎ端子からの信号（「ＣＳ２＿ｎ信号」という。）は、ＩＣ２回路を通過し故障ボード１００ｂに向かう。このＣＳ２＿ｎ信号は、故障ボード１００ｂと交換ボード１００ａは１対１に接続されているため、故障ボード１００ｂのＣＳ２＿ｎ端子からのＣＳ２＿ｎ信号と衝突しそうになるが、ＩＣ２回路が実装されており、バッファ制御信号がＬｏｗであるため、故障ボード１００ｂのＣＳ２＿ｎ端子はＩＣ２回路によって遮断されている。
【００４９】
従って、交換ボード１００ａのＣＳ２＿ｎ信号と、故障ボード１００ｂのＣＳ２＿ｎ信号との衝突は回避され、交換ボード１００ａのＣＳ２＿ｎ信号は、故障ボード１００ｂのＩＣ３回路に向かう。ＩＣ３回路は、ＩＣ２回路とは逆にゲートが開いているため、交換ボード１００ａのＣＳ２＿ｎ信号は、そのままＩＣ３回路を通過し、不揮発メモリ１０５ｂのＣＳ端子に向かう。このとき、今度は、交換ボード１００ａのＣＳ２＿ｎ信号は、故障ボード１００ｂのＣＳ１＿ｎ端子からの信号と衝突しようとするが、ＩＣ２回路と同じ機能のＩＣ１回路によって、衝突が回避される。
【００５０】
また、交換ボード１００ａのＣＳ２＿ｎ端子は、交換ボード１００ａの不揮発メモリ１０５ｂのＣＳ端子にも接続されているが、その間にＩＣ３回路が実装されており、交換ボード１００ａ側はスイッチＳＷ１がオフ、すなわち、バッファ制御信号はＨｉｇｈレベルであるため、不揮発メモリ１０５ａのＣＳ端子に入力されることがなく、交換ボード１０ａ及び故障ボード１００ｂの不揮発メモリ１０５a、１０５ｂを同時にリードすることはない。
【００５１】
その後、リードしたデータは、交換ボード１００ａのＣＳ１＿ｎ端子を用いて、交換ボード１００ａの不揮発メモリ１０５ａのＣＳ端子に入力されて、不揮発メモリ１０５ａにライトされる。
【００５２】
このように本実施の形態では、故障したＦＡＸ制御ボードである故障ボード１００ｂに、単に交換用の同一構成のＦＡＸ制御ボードである交換ボード１００ａを接続し、故障ボード１００ｂの不揮発メモリ１０５ｂに記憶されているデータを、交換ボード１００ａの不揮発メモリ１０５ａにコピーするので、メンテナンス管理を軽減することができるとともに、メンテナンスのためのコストも低減することができる。
【００５３】
また、本実施の形態では、交換ボード１００ａから故障ボード１００ｂの不揮発メモリ１０５ｂのデータをリードする際には、故障ボード１００ｂのスイッチＳＷ１によりローカルバス上にあるバッファを制御して、故障ボード１００ｂ側のメモリコントローラ１０１ｂとローカルバスを切断しているので、故障ボード１００ｂと交換ボード１００ａのメモリコントローラ１０１ａ，１０１ｂによるデータの衝突を回避することができる。
【００５４】
（変形例１）
実施の形態１では、図２を用いてＣＳ端子について説明したが、この変形例１では、リード信号、ライト信号、データバス、アドレスバスについて示している。図５は、実施の形態１の変形例１の制御システムを構成する故障ボードと交換ボードの回路構成図である。リード信号、ライト信号は、データバス、アドレスバス、アクセスをしない不揮発メモリに対して入力されても問題ないので、図５に示すように、ＩＣ４回路だけ実装された簡素な回路として構成してもよい。
【００５５】
（変形例２）
実施の形態１では、リストア制御信号をＬｏｗ，Ｈｉｇｈに切り替えるためのスイッチとして、スイッチＳＷ２を使っていたが、この変形例２では、スイッチＳＷ２を用いずに、リストア制御信号をＬｏｗ，Ｈｉｇｈに切り替える。
【００５６】
図６は、実施の形態１の変形例２の制御システムを構成する故障ボードと交換ボードの回路構成図である。故障ボード７００ｂの不揮発メモリ１０５ｂのデータを、交換ボード７００ａにコピーする場合には、ユーザは、故障ボード７００ｂのスイッチＳＷ１をオンにする。
【００５７】
これにより、故障ボード７００ｂのＩＣ５回路のゲートが開くため、リストア制御信号はＬｏｗになり、交換ボード７００ａ側のメモリコントローラ７０１ａのＧＩＯ端子にＬｏｗが入力される。このため、スイッチＳＷ２を設ける必要がなく、また動作も故障ボード７００ｂのスイッチＳＷ１を制御するという簡単な動作で、かつ故障ボード１００ｂはこのまま廃棄されるため、スイッチＳＷ１の戻し忘れ等があった場合でも問題が生じることはない。
【００５８】
（実施の形態２）
実施の形態２は、制御基板に報知する機能を設けるとともに、故障ボードの不揮発メモリをコピーする場合に、不揮発メモリの故障の有無を判断するものである。図１３，１４は、従来の制御システムの構成図である。従来技術では、冶具ボード１２００にＬＥＤ１２０２が実装されており、このＬＥＤ１２０２を、交換ボード１３００の制御装置１３０６が制御し、ＬＥＤ１２０２の点滅および点灯方法を変えることでデータコピーの終了を通知する。しかし、このような従来技術では、ＬＥＤ１２０２を制御する信号線がさらに必要になり、ケーブルがさらに増加してしまう。
【００５９】
また、仮に、交換ボード１３００に実装されているＬＥＤを制御する方法も考えられるが、この交換ボード１３００は実機等に実装されてデータコピーを実施することを想定しているため、ＬＥＤの点滅および点灯がユーザに把握できないおそれがある。
【００６０】
このため、本実施の形態では、交換ボードに、交換ボードを実装する装置のスピーカやブザーと接続して報知機能を有する制御装置を備えた構成としている。
【００６１】
図７は、実施の形態２の制御システムの構成図である。図７に示すように、本実施の形態では、故障したＦＡＸ制御ボードである故障ボード８００ｂに、交換するＦＡＸ制御ボードである交換ボード８００ａを接続した構成となっている。
【００６２】
故障ボード８００ｂと交換ボード８００ａは、同一の構成であり、メモリコントローラ８０１ａ，８０１ｂと、バッファ１０２ｂと、スイッチＳＷ１と、不揮発メモリ１０５ａ，１０５ｂと、制御装置８２０ａとを主に備えている。
【００６３】
ここで、図７では、故障ボード８００ｂでは、制御装置を省略して示しており、交換ボード８００ａでは、バッファ、スイッチＳＷを省略して示してある。バッファ１０２ｂ、スイッチＳＷ、不揮発メモリ１０５ｂの機能は、実施の形態１と同様である。
【００６４】
制御装置８２０ａは、報知部として機能し、コピー処理が完了したとき等に、交換ボード８００ａを搭載する機器のスピーカ等、すなわち交換ボード８００ａの外部の出力装置にその旨を報知する。
【００６５】
実施の形態１では、ＦＡＸ制御ボードが雷ノイズ等で電話回線周りの故障することを仮定してきたが、この他、不揮発メモリが故障する場合もある。このように不揮発メモリが故障した場合には、単に故障ボードの不揮発メモリがリードできない場合だけでなく、不揮発メモリの故障により破損等したデータが記録されている場合、その破損等したデータを交換ボードの不揮発メモリにコピーすると、誤ったデータによって、機器が動作してしまう。
【００６６】
このため、本実施の形態では、不揮発メモリ１０５ａ，１０５ｂの特定のアドレスに、予め定められた検証用データを予め記憶させておき、この検証用データを検証して正当な場合にコピーを実行することとして、誤ったデータにより機器が動作することを防止している。以降、この検証用データをマーカと呼ぶ。
【００６７】
なお、マーカは、任意に記憶することができるが、初めてＦＡＸ制御ボードが通電されたときに不揮発メモリ１０５ａ，１０５ｂに記憶させることが好ましい。
【００６８】
メモリコントローラ８０１ａは、検証部として機能し、故障ボード８００ｂの不揮発メモリ１０５ｂの内容をコピーする第２状態の場合に、接続先のＦＡＸ制御ボードである故障ボード１００ｂの不揮発メモリ１０５ｂからマーカをリードし、リードしたマーカが正当か否かを判断する。マーカの正当性は、例えば、自己の不揮発メモリ１０５ａに記憶されているマーカと一致するか否かにより判断するが、判断手法はこれに限定されるものではない。なお、制御装置８２０ａは、マーカの正当性の判断の結果もスピーカ等に報知する。
【００６９】
そして、メモリコントローラ８０１ａは、故障ボード８００ｂの不揮発メモリ１０５ｂからリードしたマーカが正当である場合に、実施の形態１と同様に、故障ボード８００ｂの不揮発メモリ１０５ｂに記憶されているデータをリードして、不揮発メモリ１０５ａにコピーする。なお、故障ボード８００ｂ側のメモリコントローラ８０１ｂも、交換ボード８００ａのメモリコントローラ８０１ａと同様の機能を有している。
【００７０】
次に、以上のように構成された本実施の形態のコピー処理について説明する。図８は、実施の形態２の交換ボード８００ａにおけるコピー処理の手順を示すフローチャートである。
【００７１】
スイッチＳＷがオンにされるとリストア制御信号はＬｏｗとなり、スイッチＳＷがオフにされるとリストア制御信号はＨｉｇｈとなる。交換ボード１００ａにおいて、スイッチＳＷがオフにされて、リストア制御信号がＨｉｇｈになった場合には（ステップＳ４１：Ｈｉｇｈ）、何もせずに処理を終了する。
【００７２】
一方、ステップＳ４１で、スイッチＳＷがオンとされて、リストア制御信号がＬｏｗになった場合には（ステップＳ４１：Ｌｏｗ）、第２状態となり、メモリコントローラ８０１ａは、接続されている故障ボード８００ｂの不揮発メモリ１０５ｂから、マーカをリードする（ステップＳ４２）。
【００７３】
そして、メモリコントローラ８０１ａは、マーカの正当性を調べ、マーカが正しいか否かを判断する（ステップＳ４３）。そして、マーカが正しくない場合には（ステップＳ４３：Ｎｏ）、制御装置８２０ａは、異常の旨をスピーカ等で報知する（ステップＳ４７）。
【００７４】
一方、マーカが正しい場合には（ステップＳ４３：Ｙｅｓ）、制御装置８２０ａは、正常の旨をスピーカ等で報知する（ステップＳ４４）。そして、メモリコントローラ８０１ａは、接続されている故障ボード８００ｂの不揮発メモリ１０５ｂから、記憶されているデータをリードする（ステップＳ４５）。
【００７５】
次に、メモリコントローラ８０１ａは、故障ボード８００ｂの不揮発メモリ１０５ｂからリードしたデータを、自ボードである交換ボード８００ａの不揮発メモリ１０５ａにライトする（ステップＳ４６）。これにより、故障ボード８００ｂの不揮発メモリ１０５ｂに記憶されたデータが交換ボード８００ａの不揮発メモリ１０５ａにコピーされることになる。
【００７６】
このように本実施の形態では、不揮発メモリ１０５ａ，１０５ｂの特定のアドレスに、予め定められたマーカを予め記憶させておき、このマーカを検証して正当な場合に故障ボード８００ｂから交換ボード８００ａへの不揮発メモリ１０５ｂのデータのコピーを実行しているので、故障ボード８００ｂで不揮発メモリ１０５ｂが故障している場合にはコピーせずに、誤ったデータのコピーにより機器が動作することを防止することができる。
【００７７】
また、本実施の形態では、交換ボードに、交換ボードを実装する装置のスピーカやブザーと接続して報知機能を有する制御装置を備えているので、制御信号のためのケーブルの追加や視認性を良好に維持したまま、種々の報知を行うことができる。
【００７８】
（変形例１）
本変形例では、制御装置８２０ａは、ＦＡＸ制御ボードを搭載する機器に予め設定されている音量で、スピーカ又はブザー等に報知するものである。
【００７９】
図９は、実施の形態２の変形例１の交換ボード８００ａによるコピー処理の手順を示すフローチャートである。ステップＳ４１からＳ４３までの処理は実施の形態２と同様に行われる。
【００８０】
本変形例では、ステップＳ４３でマーカが正しいと判断された場合（ステップＳ４３：Ｙｅｓ）、制御装置８２０ａは、交換ボード８００ａを搭載する機器から、機器に設定されている設定音量を取得し、出力音量に設定する（ステップＳ５４）。そして、制御装置８２０ａは、この出力音量で正常の旨を機器のスピーカ等で報知する（ステップＳ５５）。その後の処理（ステップＳ４５，Ｓ４６）については実施の形態２と同様である。
【００８１】
また、ステップＳ４３でマーカが正しくないと判断された場合も（ステップＳ４３：Ｎｏ）、制御装置８２０ａは、交換ボード８００ａを搭載する機器から、機器に設定されている設定音量を取得し、出力音量に設定する（ステップＳ５８）。そして、制御装置８２０ａは、この出力音量で異常の旨を機器のスピーカ等で報知する（ステップＳ５９）。
【００８２】
このように本変形例では、ＦＡＸ制御ボードを搭載する機器に予め設定されている音量で、スピーカ又はブザー等に報知しているので、ユーザは、スピーカ又はブザー等の配置によらず、鮮明に音声を聞くことが可能となる。
【００８３】
（変形例２）
本変形例では、制御装置８２０ａは、ＦＡＸ制御ボードを搭載する機器に予め設定されている音量で報知するが、機器の設定がミュート（消音）となっている場合には、機器における工場出荷時の音量（以下、「デフォルト音量」という。）で報知するものである。
【００８４】
図１０は、実施の形態２の変形例２の交換ボード８００ａによるコピー処理の手順を示すフローチャートである。ステップＳ４１からＳ４３までの処理は実施の形態２と同様に行われる。
【００８５】
本変形例では、ステップＳ４３でマーカが正しいと判断された場合（ステップＳ４３：Ｙｅｓ）、制御装置８２０ａは、交換ボード８００ａを搭載する機器から、機器に設定されている設定音量を取得し、出力音量に設定する（ステップＳ５４）。そして、制御装置８２０ａは、取得した設定音量がミュートであるか否かを判断する（ステップＳ７５）。
【００８６】
そして、取得した設定音量がミュートである場合には（ステップＳ７５：Ｙｅｓ）、制御装置８２０ａは、機器のデフォルト音量を取得して、このデフォルト音量を出力音量に設定する（ステップＳ７６）。
【００８７】
一方、ステップＳ７５で、取得した設定音量がミュートでない場合には（ステップＳ７５：Ｎｏ）、ステップＳ７６の処理は行われない。
【００８８】
そして、制御装置８２０ａは、出力音量で正常の旨を機器のスピーカ等で報知する（ステップＳ５５）。その後の処理（ステップＳ４５，Ｓ４６）については実施の形態２と同様である。
【００８９】
また、ステップＳ４３でマーカが正しくないと判断された場合も（ステップＳ４３：Ｎｏ）、制御装置８２０ａは、交換ボード８００ａを搭載する機器から、機器に設定されている設定音量を取得し、出力音量に設定する（ステップＳ５８）。そして、制御装置８２０ａは、取得した設定音量がミュートであるか否かを判断し（ステップＳ８１）、取得した設定音量がミュートである場合には（ステップＳ８１：Ｙｅｓ）、制御装置８２０ａは、機器のデフォルト音量を取得して、このデフォルト音量を出力音量に設定する（ステップＳ８２）。ステップＳ８１で、取得した設定音量がミュートでない場合には（ステップＳ８１：Ｎｏ）、ステップＳ８２の処理は行われない。そして、制御装置８２０ａは、出力音量で異常の旨を機器のスピーカ等で報知する（ステップＳ５５）。
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９１】
１００ａ，８００ａ  交換ボード
１００ｂ，８００ｂ  故障ボード
１０１ａ，１０１ｂ  メモリコントローラ
１０２ａ，１０２ｂ  バッファ
１０５ａ，１０５ｂ  不揮発メモリ
１１０ａ，１１０ｂ  コネクタ
８２０ａ  制御装置
【先行技術文献】
【特許文献】
【００９２】
【特許文献１】特開２００３−３２３２９８号公報
【図１】
2013225277.tif 000003
【図２】
2013225277.tif 000004
【図３】
2013225277.tif 000005
【図４】
2013225277.tif 000006
【図５】
2013225277.tif 000007
【図６】
2013225277.tif 000008
【図７】
2013225277.tif 000009
【図８】
2013225277.tif 000010
【図９】
2013225277.tif 000011
【図１０】
2013225277.tif 000012
【図１１】
2013225277.tif 000013
【図１２】
2013225277.tif 000014
【図１３】
2013225277.tif 000015
【図１４】
2013225277.tif 000016